(57)【要約】【課題】使用者自らが容易な作業で、自然な排便を実現できる挿入型排便器を提供する。【解決手段】基端１６ｂが一端に開口部を備えた容器１２の開口部側に周状に配置され、かつ先端１６ａが相互に接近及び離反可能に配置された複数の細長部材１６により、細長部材の各々の先端が接近した状態で筒体１４が構成され、移動部１８が、複数の細長部材１６の各々を接近及び離反する方向に移動させ、収納部分が複数の細長部材１６で構成される筒体１４の内部を貫通して容器１２の内部に収納され、口部が筒体１４の外側の複数の細長部材１６の基端１６ｂ側に位置するように、伸縮可能な袋体２０が、収納部分と口部との間の部分で折り返されて複数の細長部材１６の先端側を被覆し、容器１２の内部に配置された絞り部２２が、袋体２０に収納された便が口部から排出されないように袋体２０の折り返し部分と収納部分との間の部分の開口が狭くなるように絞る。【選択図】図３
2011055956.tif 000002
【特許請求の範囲】
【請求項１】
一端に開口部を備えた容器と、
基端が前記容器の開口部側に周状に配置され、かつ各々が相互に接近及び離反可能に配置され、相互に接近した状態で筒体を構成する複数の細長部材と、
前記複数の細長部材の各々を接近する方向に移動させる第１の移動手段と、
前記第１の移動手段による前記複数の細長部材の接近移動が解除されると、前記複数の細長部材を離反する方向へ移動させる第２の移動手段と、
収納部分が前記複数の細長部材で構成される筒体の内部を貫通して前記容器の内部に収納され、口部が前記筒体の外側の前記複数の細長部材の基端側に位置するように、前記収納部分と前記口部との間の部分で折り返されて前記複数の細長部材の先端側を被覆する伸縮可能な袋体と、
前記容器の内部に配置され、前記袋体に収納された便が前記口部から排出されないように前記袋体の折り返し部分と前記収納部分との間の部分の開口が狭くなるように絞る絞り手段と、
を含む挿入型排便器。
【請求項２】
前記筒体が肛門管に挿入され前記複数の細長部材の各々が離反した状態で、前記複数の細長部材の各々の先端が直腸の入口に沿うように外側に向けて屈曲状態が保持されるようにした
請求項１記載の挿入型排便器。
【請求項３】
前記細長部材の各々は、長さ方向の中間で屈曲させられ、前記基端の各々が周の外側を向けて前記容器の開口部側に周状に配置され、
前記第１の移動手段は、前記基端に力を作用させて前記細長部材の各々を接近する方向に移動させ、
前記第２の移動手段は、前記第１の移動手段による前記基端への力が開放されると前記細長部材の各々を離反する方向へ移動させるように構成した
請求項１または請求項２項記載の挿入型排便器。
【請求項４】
前記複数の細長部材の各々の先端部は、力が作用していない状態で直腸の入口に沿う形状に屈曲された弾性体で構成され、
前記弾性体の各々を前記屈曲形状と逆方向へ屈曲させる力を前記各弾性体の先端へ加える弾性体変形手段を備える
請求項１乃至請求項３のいずれか１項記載の挿入型排便器。
【請求項５】
前記絞り手段を、開口部を有する支持板と、前記支持板の開口部を開く位置と閉じる位置とで移動可能に前記支持板に設けられた複数枚の絞り羽根と、で構成した請求項１乃至請求項４のいずれか１項記載の挿入型排便器。
【請求項６】
前記容器の内部を陰圧にする手段を備えた請求項１乃至請求項５のいずれか１項記載の挿入型排便器。
【発明の詳細な説明】
【技術分野】
【０００１】
本発明は、挿入型排便器に関する。
【背景技術】
【０００２】
従来より、自力で排便することができない人の便を強制的に排出することを目的として、肛門から腸内へ挿入できる筒体を先端側から長尺の袋体内に挿入し、袋体の先端部分を筒体内部から外方へ引張する引張部材を設け、肛門から腸内に挿入しながら筒体の先端を便に押し付け、かつ引張部材で袋体を筒体内部へ引き込み、腸内の便を筒体内部の袋体内部へ取り込むようにして、筒体後部から袋体に便を収容した状態で体外に強制的に排出するようにした排便器具が提案されている（例えば、特許文献１参照）。
【０００３】
また、外形が伸縮可能な筒形の挿入用補助具を縮み状態で肛門に差し付けてから開拡し、先端部を直腸内で開拡可能に開閉し得るゴム状の薄膜で被覆した可撓性管状の排便器を挿入用補助具を通して肛門へ差し込み、液調装置から送る液体で糞塊を溶解して取り出す強制排便装置が提案されている（例えば、特許文献２参照）。
【先行技術文献】
【特許文献】
【０００４】
【特許文献１】特許第４０９１７６０号公報
【特許文献２】特開平７−８８１７６号公報
【発明の概要】
【発明が解決しようとする課題】
【０００５】
しかしながら、例えば、水が貴重な宇宙において宇宙飛行士が使用する場合や、地上においても渋滞時や災害時など、このような挿入型の排便器を使用したい場合があるが、特許文献１の排便器具を自力で排便することができる人が自ら使用する場合には、筒体を腸内の便に押し付けながら引張部材を引き込むという作業は困難である、という問題がある。
【０００６】
また、上記特許文献１の排便器具及び特許文献２の強制排便装置は、強制的に便を排出させるものであるため、自然な排便を目的とする場合には適用できない、という問題がある。
【０００７】
本発明は、上記問題点を解決するためになされたものであり、使用者自らが容易な作業で使用することができ、自然な排便ができる挿入型排便器を提供することを目的とする。
【課題を解決するための手段】
【０００８】
上記目的を達成するために、本発明の挿入型排便器は、一端に開口部を備えた容器と、
基端が前記容器の開口部側に周状に配置され、かつ各々が相互に接近及び離反可能に配置され、相互に接近した状態で筒体を構成する複数の細長部材と、前記複数の細長部材の各々を接近する方向に移動させる第１の移動手段と、前記第１の移動手段による前記複数の細長部材の接近移動が解除されると、前記複数の細長部材を離反する方向へ移動させる第２の移動手段と、収納部分が前記複数の細長部材で構成される筒体の内部を貫通して前記容器の内部に収納され、口部が前記筒体の外側の前記複数の細長部材の基端側に位置するように、前記収納部分と前記口部との間の部分で折り返されて前記複数の細長部材の先端側を被覆する伸縮可能な袋体と、前記容器の内部に配置され、前記袋体に収納された便が前記口部から排出されないように前記袋体の折り返し部分と前記収納部分との間の部分の開口が狭くなるように絞る絞り手段と、を含んで構成されている。
【０００９】
本発明の挿入型排便器によれば、基端が一端に開口部を備えた容器の開口部側に周状に配置され、かつ各々が相互に接近及び離反可能に配置された複数の細長部材により、細長部材の各々が相互に接近した状態で筒体が構成される。そして、第１の移動手段が、複数の細長部材の各々を接近する方向に移動させ、第２の移動手段が、前記第１の移動手段による前記複数の細長部材の接近移動が解除されると、前記複数の細長部材を離反する方向へ移動させる。また、収納部分が複数の細長部材で構成される筒体の内部を貫通して容器の内部に収納され、口部が筒体の外側の複数の細長部材の基端側に位置するように、伸縮可能な袋体が、収納部分と口部との間の部分で折り返されて複数の細長部材の先端側を被覆する。また、容器の内部に配置された絞り手段が、袋体に収納された便が口部から排出されないように袋体の折り返し部分と収納部分との間の部分の開口が狭くなるように絞る。
【００１０】
このように、第１の移動手段により細長部材を接近する方向に移動させるため、複数の細長部材によって形成される筒体の径を細くした状態で肛門管へ挿入し、排便時には第２の移動手段によって複数の細長部材を離反させるため、筒体の径が肛門管の動きに追従して変化することにより自然な便の排泄が可能となる。また、便が筒体に被覆した袋体に収納され、絞り手段により収納された便が排出されないように袋体の折り返し部分と収納部分との間の部分の開口が狭くなるように絞るため、使用者自らが容易な作業で使用することができ、自然な排便が可能となる。
【００１１】
また、前記筒体が肛門管に挿入され前記複数の細長部材の各々が離反した状態で、前記複数の細長部材の各々の先端が直腸の入口に沿うように外側に向けて屈曲状態が保持されるように構成することができる。これにより、便が袋体内へ導かれるので、排便時の便漏れを防止することができる。
【００１２】
また、前記細長部材の各々は、長さ方向の中間で屈曲させられ、前記基端の各々が周の外側を向けて前記容器の開口部側に配置され、前記第１の移動手段は、前記基端に力を作用させて前記細長部材の各々を接近する方向に移動させ、前記第２の移動手段は、前記第１の移動手段による前記基端への力が解放されると前記細長部材の各々を離反する方向へ移動させるように構成しても良い。
また、前記複数の細長部材の各々の先端部は、力が作用していない状態で直腸の入口に沿う形状に屈曲された弾性体で構成され、前記弾性体の各々を前記屈曲形状と逆方向へ屈曲させる力を前記各弾性体の先端へ加える弾性体変形手段を備えても良い。これにより、肛門管への挿入時には力を作用させて先端部を接近させ、挿入後は先端部を直腸の入口形状に沿った形状とすることができる。
【００１３】
また、前記絞り手段を、開口部を有する支持板と、前記支持板の開口部を開く位置と閉じる位置とで移動可能に前記支持板に設けられた複数枚の絞り羽根と、で構成することができる。このように簡易な構成で絞り手段を構成することができ、容易に排便後の後処理を行うことができる。
【００１４】
また、前記容器の内部を陰圧にする手段を備えても良い。これにより、無重力状態の宇宙で使用する場合や、便を排出する力が弱い人が使用する場合などに、直腸内の便をスムーズに排出させて袋体に収納することができる。
【発明の効果】
【００１５】
以上説明したように、本発明の挿入型排便器によれば、第１の移動手段及び第２の移動手段により細長部材を接近及び離反する方向に移動させるため、細長部材を接近させた状態で肛門管へ挿入し、排便時には肛門管の動きに追従して離反させることにより便が筒体に被覆した袋体に収納され、絞り手段により収納された便が排出されないように袋体の折り返し部分と収納部分との間の部分の開口が狭くなるように絞るため、使用者自らが容易な作業で使用することができ、自然な排便が可能となる。
【図面の簡単な説明】
【００１６】
【図１】第１の実施の形態に係る挿入型排便器の斜視図である。
【図２】第１の実施の形態に係る挿入型排便器の分解斜視図である。
【図３】図１のＡ−Ａ’線における断面図である。
【図４】細長部材の各々が離反した状態を示す斜視図である。
【図５】細長部材の先端と直腸の入口との関係を示す概略図である。
【図６】（Ａ）移動部のケースの側面図、（Ｂ）移動部の摺動部材の平面図、（Ｃ）移動部の摺動部材が最下部に位置する場合の側面図、及び（Ｄ）移動部の摺動部材が最上部に位置する場合の側面図である。
【図７】移動部の摺動部材が最上部に位置する場合の移動部及び細長部材の部分の断面図である。
【図８】（Ａ）絞り部の絞り羽根が閉じた場合の平面図、及び（Ｂ）絞り部の絞り羽根が開いた場合の平面図である。
【図９】（Ａ）第１の実施の形態の細長部材の配列の他の例を示す平面図、及び（Ｂ）斜視図である。
【図１０】（Ａ）第２の実施の形態に係る挿入型排便器の離反した状態の細長部材及び移動部の部分を示す概略図、及び（Ｂ）接近した状態の細長部材及び移動部の部分を示す概略図である。
【図１１】（Ａ）第２の実施の形態に係る挿入型排便器の離反した状態の細長部材を示す斜視図、及び（Ｂ）接近した状態の細長部材を示す斜視図である。
【図１２】（Ａ）移動部のケースの第１の細孔が形成されている平面及び板バネ部分の細長部材及び板バネが離反した状態における概略図、及び（Ｂ）細長部材及び板バネが接近した状態における概略図である。
【図１３】（Ａ）移動部のケースの第２の細孔が形成されている平面の細長部材が離反した状態における概略図、及び（Ｂ）細長部材が接近した状態における概略図である。
【図１４】（Ａ）第２の実施の形態の細長部材の配列の他の例を示す平面図、及び（Ｂ）斜視図である。
【図１５】カバーの形状の他の例を示す斜視図である。
【発明を実施するための形態】
【００１７】
以下、図面を参照して本発明の実施の形態を詳細に説明する。
【００１８】
図１〜図３に、第１の実施の形態の挿入型排便器１０を示す。図１は挿入型排便器１０の斜視図、図２は分解斜視図、図３は図１のＡ−Ａ’線における断面図である。これらの図に示すように、挿入型排便器１０は、一端に開口部を備えた容器１２と、使用者の肛門管に挿入される部分となる筒体１４を構成する複数の細長部材１６と、細長部材１６の各々の先端を接近及び離反する方向に移動させる移動部１８と、複数の細長部材１６で構成された筒体１４を被覆し、収納部分が容器の内部に収納される袋体２０と、袋体２０に収納された便が排出されないように袋体２０の一部の開口が狭くなるように絞る絞り部２２と、筒体１４を被覆する袋体２０を固定するカバー２４と、を備えている。
【００１９】
容器１２は、円筒形状で、開口部を有する上部分の外径が下部分の外径よりやや小さく形成されており、この部分に後述する移動部１８のケース１８ａが嵌合して容器１２と移動部１８とが連結される。
【００２０】
細長部材１６は、曲面を有する平面視にて略三角形状で、三角形の頂点を先端１６ａ、三角形の底辺を基端１６ｂとし、先端１６ａと基端１６ｂとの中間の基端１６ｂ寄りの部分を屈曲させて屈曲部１６ｃを設けている。そして、屈曲部１６ｃが容器１２の開口部側に周状に基端１６ｂが周の外側を向くように配置されている。また、屈曲部１６ｃを中心に回動することにより、細長部材１６の先端１６ａが相互に接近及び離反可能に配置されている。図２に示すように、細長部材１６の各々の先端１６ａが接近している場合には、周状に配置された複数（ここでは４個）の細長部材１６により円錐形状の筒体１４が構成される。また、細長部材１６の各々の先端１６ａが離反している状態を図４に示す。
【００２１】
また、図５に示すように、細長部材１６の各々の先端１６ａは、筒体１４が肛門管５０に挿入され各々の先端１６ａが離反した状態で、直腸５２の入口５２ａに沿うように外側（各々の先端が離反する側）に向けて所定角度で屈曲している。
【００２２】
移動部１８は、図３に示すように、移動部１８の各構成を収納すると共に、容器１２に嵌合するケース１８ａと、ケース１８ａ内を上下方向に摺動可能に、かつ上方向に移動した際に細長部材１６の基端１６ｂを持ち上げるように配置され、中央部分に貫通孔を有する円板状の摺動部材１８ｂと、一端がケース１８ａの上面内側に支持され、他端が細長部材１６の基端１６ｂの部分に支持された圧縮バネ１８ｃと、で構成されている。
【００２３】
ケース１８ａには、図６（Ａ）に示すように、側面視にてかぎ状の摺動孔１８ｄが設けられている。また、ケース１８ａの容器１２との連結部分の内面には、後述する絞り部２２の凸部が係合する切欠部１８ｅが設けられている。
【００２４】
摺動部材１８ｂは、図６（Ｂ）の平面図に示すように、外周側の一部につまみ部１８ｆが設けられており、つまみ部１８ｆが摺動孔１８ｄからケース１８ａの外部へ突出するように配置される。
【００２５】
圧縮バネ１８ｃは、図３に示すように、摺動部材１８ｂが最下部に位置し、細長部材１６の各々の先端１６ａが離反している状態のときに、自然長または自然長から基端１６ｂを下側に付勢する方向に少し収縮した長さとなっている。このときの圧縮バネ１８ｃの長さを初期の長さという。
【００２６】
図６（Ａ）に示すように、摺動部材１８ｂが最下部に位置するとき、つまみ部１８ｆは摺動孔１８ｄのＰｄに位置し、側面視にて同図（Ｃ）に示す状態となる。この状態から摺動部材１８ｂを上方向に移動させるには、同図（Ｄ）に示すように、つまみ部１８ｆを摺動孔１８ｄに沿って押し上げてから横方向に移動する。つまみ部１８ｆが摺動孔１８ｄのＰｕの位置に係止されたときに、摺動部材１８ｂが最上部で固定される。図７に示すように、摺動部材１８ｂが最上部に位置するとき、細長部材１６は、各々の基端１６ｂが摺動部材１８ｂにより持ち上げられることにより、屈曲部１６ｃで回動して各々の先端１６ａが接近する方向に移動する。このとき、圧縮バネ１８ｃは、初期の長さより収縮している。そして、再び、つまみ部１８ｆを摺動孔に沿って位置Ｐｄまで移動させて、摺動部材１８ｂを最下部に戻すと、細長部材１６は、圧縮バネ１８ｃの復元力により基端１６ｂが押し下げられ、各々の先端１６ａが離反する方向に移動する。
【００２７】
袋体２０は、例えばゴムのような伸縮性のある材料で構成される。袋体２０の収納部分が筒体１４の内部を貫通して容器１２の内側に収納され、その口部が筒体１４の外側の基端側に位置するように、収納部分と口部との間の部分で折り返されて、細長部材１６の先端側を被覆する。本実施の形態では、袋体は、圧縮バネ１８ｃによって細長部材１６の各々が離反するのを妨げない程度の伸縮性を持つように形成されるか、または袋体の折り返される部分の径を筒体の最大径程度に形成されていることが望ましい。なお、挿入型排便器１０の袋体２０及びカバー２４以外の構成を、以下、「本体」と呼称する。
【００２８】
絞り部２２は、容器１２の開口部に設けられ、図８に示すように、袋体２０が貫通する貫通孔（開口部）を中央部に有する円板状の支持板２２ａと、支点２２ｈを軸として支持板２２ａの開口部を開く位置と閉じる位置とで回転可能に支持板２２ａに設けられた複数枚（ここでは２枚）の絞り羽根２２ｂと、絞り羽根２２ｂの各々に設けられたピン２２ｃと、絞り羽根２２ｂの各々を支持板２２ａの開口部を閉じる方向に付勢する引張バネ２２ｄと、支持板２２ａと同様の貫通孔を有する円板状で、裏面にピン２２ｃと係合する凹部２２ｅ、及び側面に移動部１８に設けられた切欠部１８ｅと係合する凸部２２ｆを有する回転板２２ｇとで構成されている。
【００２９】
図８（Ａ）に示すように、容器１２と移動部１８とを連結する前においては、絞り羽根２２ｂは引張バネ２２ｄにより付勢されて支持板２２ａの開口部を閉じている。このとき、引張バネ２２ｄは、自然長より少し伸張した長さ（初期の長さ）である。そして、絞り羽根２２ｂに設けられたピン２２ｃを回転板２２ｇの凹部２２ｅと係合した状態で、回転板２２ｇの凸部２２ｆを移動部１８のケース１８ａの切欠部１８ｅに沿ってスライドさせるように、支持板２２ａ、及び回転板２２ｇをケース１８ａ内に組み込み、その後容器１２と移動部１８とを連結する。そして、ケース１８ａを容器１２に対して所定方向に回転させることにより絞り部２２の回転板２２ｇを回転させる。これにより、同図（Ｂ）に示すように、ピン２２ｃと凹部２２ｅとの係合を介して、絞り羽根２２ｂが支点２２ｈを軸に回転移動されて支持板２２ａの開口部を開く。このとき、引張バネ２２ｄは、初期の長さよりさらに伸張した長さである。
【００３０】
このように、容器１２と移動部１８とが連結された状態では、支持板２２ａの貫通孔が開いているため、袋体２０を貫通させて容器１２内に袋体２０の収納部分を収納することができる。袋体２０を貫通させた状態で、移動部１８を容器１２に対して上述の所定方向と反対の方向に回転させると、引張バネ２２ｄの復元力により絞り羽根２２ｂが支持板２２ａの貫通孔を閉じる方向に移動し、貫通孔を貫通している袋体２０の収納部分の上部の開口が狭くなるように絞られる。すなわち、容器１２と移動部１８とを取り外した状態では、絞り羽根２２ｂが支持板２２ａの貫通孔を閉じる方向に付勢されており、袋体２０の内部に収納された便が排出されないようにすることができる。
【００３１】
カバー２４は、一端に移動部１８のケース１８ａが嵌合可能な開口部を有し、他端に筒体１４の屈曲部１６ｃにより形成される円周よりやや大きめの開口部を有する円筒状で構成されている。図３に示すように、袋体２０の収納部分が容器１２の内部に収納され、袋体２０により筒体１４が被覆された状態で、カバー２４と移動部１８のケース１８ａとで袋体２０を挟むように、カバー２４をケース１８ａに嵌合し、袋体２０を固定する。
【００３２】
次に、第１の実施の形態の挿入型排便器１０の作用について説明する。
【００３３】
まず、使用前の準備として、本体に袋体２０を取り付ける。具体的には、容器１２と移動部１８とが連結し所定方向に回転した状態、すなわち絞り部２２が開いた状態で、移動部１８のつまみ部１８ｆを摺動孔１８ｄの位置Ｐｄへ移動させて、細長部材１６の各々の先端１６ａを離反させる。そして、筒体１４の開いた先端から袋体２０の収納部分を容器１２の内部に収納する。この際、袋体２０内部に押し棒を挿入して押し込むことにより、容易に袋体２０を本体内に貫通させることができる。次いで、袋体２０を筒体１４の先端に対応する部分で折り返し、口部を移動部１８のケース１８ａの側面部に引っ掛けるように引っ張り、カバー２４で嵌合して固定する。
【００３４】
次に、使用時には、つまみ部１８ｆを摺動孔１８ｄの位置Ｐｕへ移動させて、細長部材１６の各々の先端１６ａを接近させて円錐状の筒体１４を構成する。そして、使用者が容器１２の部分を持って筒体１４を肛門管に挿入する。
【００３５】
挿入後、つまみ部１８ｆを摺動孔１８ｄの位置Ｐｄへ移動させる。すると、摺動部材１８ｂが図６（Ｃ）に示す位置へ移動し、圧縮バネ１８ｃの復元力が基端１６ｂを押し下げる方向に働くようになる。しかし、使用者の肛門管が収縮した状態では、筒体１４は圧縮バネ１８ｃの復元力では円錐状から大きく変化することがなく、使用者が排便を始め、肛門管が拡張されると、肛門管の拡張に追従して筒体１４が円錐状から円筒状に変形する。そして、筒体１４の変形は、肛門管の拡張・収縮に追従して行われる。これにより、筒体１４を被覆している袋体２０も拡張と収縮を繰り返し、筒体１４内の袋体部へ排泄された便は、袋体２０の収納部へ送り込まれる。なお、使用者の体内へ挿入された細長部材１６の先端１６ａが直腸５２の入口５２ａに沿った状態となり、排便時の便漏れを防止する。
【００３６】
便が袋体２０の収納部分に収納され、排便が終了すると、つまみ部１８ｆを摺動孔１８ｄの位置Ｐｕへ移動させて、細長部材１６の各々の先端１６ａを接近させて、筒体１４を肛門管５０から引き抜く。
【００３７】
次に、後処理では、容器１２と移動部１８とを上記の所定方向と逆の方向に回転させることにより、ケース１８ａの切欠部１８ｅに凸部２２ｆで係合された回転板２２ｇを回転させる。この回転板２２ｇの回転により、回転板２２ｇの凹部２２ｅにピン２２ｃで係合された絞り羽根２２ｂが支持板２２ａの貫通孔を閉じる方向に移動し、袋体２０を容器１２の開口部の位置で袋体２０の開口が狭くなるように絞る。そして、カバー２４を本体から外し、筒体１４から袋体２０を外した状態で、容器１２から移動部１８を取り外す。この際、容器１２の開口部は、絞り部２２により閉じられているため、容器１２の内部に収納された袋体の収納部分に収納された便が外部に排出されない。
【００３８】
以上説明したように、第１の実施の形態の挿入型排便器によれば、肛門管に挿入する筒体が、先端が接近及び離反可能に周状に配置された複数の細長部材で構成され、移動部により複数の細長部材の各々を接近及び離反する方向に移動させ、また、容器と移動部とを回転させることにより絞り部が袋体の収納部分の上部を開口が狭くなるように絞るため、使用者自らが容易な作業で使用することができる。また、筒体が肛門管の拡張・収縮に追従して変形するので、使用者が自然な感覚を持って排便することができる。
【００３９】
なお、第１の実施の形態では、４個の細長部材を１列に周状に配置する場合について説明したが、図９に示すように、径方向に沿って２列に配置するようにしてもよい。また、細長部材の個数も４個に限定されるものではない。
【００４０】
また、第１の実施の形態では、細長部材の各々の先端を離反させる方向に移動させる際には圧縮バネの、絞り羽根を開口部を閉じる方向に移動させる際には引張バネの復元力を利用する場合について説明したが、圧縮バネ及び引張バネに限定されるものではなく、それぞれ、細長部材の各々の先端を離反させる方向、及び絞り羽根を開口部を閉じる方向に付勢力を生じるものであればよい。例えば、取付位置や力の作用方向を適宜設定することで、細長部材の各々の先端を離反させる方向への付勢力に引張バネを用いたり、絞り羽根の開口部を閉じる方向への付勢力に圧縮バネを用いたりしてもよい。また、板バネやゴム等の弾性体を用いることもできる。
【００４１】
また、第１の実施の形態では、細長部材の基端を摺動部材で押し上げる場合について説明したが、基端に固定されたワイヤを引っ張ることにより基端を押し上げるなど、屈曲部を中心に回動して先端が接近するように細長部材を移動させることができる構成であればよい。
【００４２】
次に、第２の実施の形態の挿入型排便器２１０について説明する。第２の実施の形態の挿入型排便器２１０は、細長部材及び移動部の構成が第１の実施の形態の挿入型排便器１０とは異なる。なお、第１の実施の形態の挿入型排便器１０と同一の構成については、同一の符号を付して説明を省略する。
【００４３】
図１０に、第２の実施の形態の挿入型排便器２１０の細長部材２１６及び移動部２１８部分の構成を示す概略図を、及び図１１に、斜視図を示す。
【００４４】
細長部材２１６は、棒状部材２１６ａと、棒状部材２１６ａの先端に設けられ、途中で屈曲された板バネ２１６ｂと、棒状部材２１６ａの基端側に棒状部材と直交する方向で、かつ板バネ２１６ｂが設けられている方向と同じ方向に設けられた脚部２１６ｃとで構成されている。そして、細長部材２１６の各々の基端が容器１２の開口部側に周状に配置され、かつ板バネ２１６ｂが周の外側（各々の先端が離反する方向）を向いて屈曲するように配置されている。この配置により、脚部２１６ｃの各々は、基端側が外側に向かう放射状となる（図１３も参照）。
【００４５】
板バネ２１６ｂは、力が作用していない状態で、復元力によって直腸５２の入口５２ａに沿うような角度で屈曲されており、力を作用させることにより各々の先端が接近する方向に移動する。また、脚部２１６ｃが、後述する移動部２１８のケース２１８ａの第２の細孔２１８ｆを移動することにより、細長部材２１６の先端が接近及び離反する方向へ移動するようになっている。図１１（Ｂ）に示すように、細長部材２１６の各々の先端が接近している場合には、周状に配置された複数（ここでは８個）の細長部材２１６と板バネ２１６ｂとによって先端が円錐状をした円柱形状の筒体２１４が構成される。また、細長部材２１６及び板バネ２１６ｂの各々が離反している状態を同図（Ａ）に示す。
【００４６】
移動部２１８は、図１０に示すように、移動部２１８の各構成を収納すると共に、容器１２に嵌合するケース２１８ａと、ケース２１８ａの外周面に回転可能に設けられた円柱状の回転部材２１８ｂ−１及び２１８ｂ−２と、一端を板バネ２１６の内側の先端に、他端を回転部材２１８ｂ−１の内周面に固定されたワイヤ２１８ｃと、一端を脚部２１６ｃの先端に、他端を回転部材２１８ｂ−２の内周面に回転自在に設けられた押し棒２１８ｄと、で構成されている。
【００４７】
ケース２１８ａには、細長部材２１６の各々の脚部２１６ｃと平行に第１の細孔２１８ｅが形成されている。第１の細孔２１８ｅは、ワイヤ２１８ｃが摺動可能な断面積で形成されており、細長部材２１６の内側を沿って配設されたワイヤ２１８ｃが内部を貫通する。また、第１の細孔２１８ｅが形成されている位置において、ケース２１８ａの外周面が凹形状に形成されている。また、ケース２１８ａには、第１の細孔２１８ｅが設けられている平面内とは異なる平面内であって、脚部２１６ｃが配置される平面内に、細長部材２１６の各々の脚部２１６ｃと平行に第２の細孔２１８ｆが形成されている。第２の細孔２１８ｆは、脚部２１６ｃが摺動可能な断面積で形成されており、脚部２１６ｃが内部を貫通する。また、第２の細孔２１８ｆが形成されている位置において、ケース２１８ａの外周面が押し棒２１８ｄの長さ分凹形状に形成されている。
【００４８】
図１２は、細長部材２１６の先端に設けられた板バネ２１６ａの変形前と変形後の状態を説明する図である。同図（Ａ）に示す状態では、板バネ２１６ｂにワイヤ２１８ｃの張力は働いておらず、板バネ２１６ｂは外側、すなわち細長部材２１６の先端の各々が離反する方向に屈曲している。この状態から回転部材２１８ｂ−１を同図（Ｂ）に示す矢印方向へ回転させると、ワイヤ２１８ｃの回転部材２１８ｂ−１への固定位置が円周方向に沿って移動する。これにより、ワイヤ２１８ｃの板バネ２１６ｂへの固定位置へ板バネ２１６ｂの復元力に抗する張力が加わり、板バネ２１６ｂは内側、すなわち細長部材２１６の先端の各々が接近する方向に屈曲する。なお、図示を省略されているが、回転部材２１８ｂ−１には引張バネ等により同図（Ｂ）に示す矢印方向とは逆方向へ回転力が与えられている。これにより、使用者による回転部材２１８ｂ−１への回転操作が開放されると、回転部材２１８ｂ−１は同図（Ａ）の状態へ戻る。すなわち、各板バネ２１６ｂの先端は離反する方向へ屈曲する。
【００４９】
図１３は、細長部材２１６の移動前と移動後の状態を説明する図である。同図（Ａ）に示す初期状態では、細長部材２１６の各々が最も離反した位置にあり、押し棒２１８ｄが径方向から所定角度ずれた配置となっている。この状態から回転部材２１８ｂ−２を脚部２１６ｃと押し棒２１８ｄとが直線上に配置されるように同図（Ｂ）に示す矢印方向へ回転させると、同図（Ｂ）に示すように、押し棒２１８ｄにより脚部２１６ｃが押されて各細長部材２１６が第２の細孔２１８ｆに沿って移動する。これにより、細長部材２１６の各々が接近する方向へ移動する。これにより、複数の細長部材２１６によって構成される筒体の径が太い状態から細い状態へ変化する。なお、図１３においても図示を省略されているが、回転部材２１８ｂ−２には引張バネ等により同図（Ｂ）に示す矢印方向とは逆方向へ回転力が与えられている。これにより、使用者による回転部材２１８ｂ−２への回転操作が開放されると、回転部材２１８ｂ−２は同図（Ａ）の状態へ戻る。すなわち、各細長部材２１６は離反する方向へ移動する。ただし、回転部材２１８ｂ−２を初期状態へ戻すバネ等の力は、排便によって肛門管が拡張するときに筒体２１４がそれに追従して拡張する程度の強さであることが、使用者に自然な排便感覚を与えるので望ましいと考えられる。
【００５０】
次に、第２の実施の形態の挿入型排便器２１０の作用について説明する。
【００５１】
まず、使用前の準備として、本体に袋体２０を取り付ける。具体的には、容器１２と移動部２１８とが連結し所定方向に回転した状態、すなわち絞り部２２が開いた状態にする。このとき、回転部材２１８ｂは初期位置にあり、細長部材２１６の各々が離反し、板バネ２１６ｂの各々が外側に向いて屈曲している。そして、細長部材２１６の先端側から袋体２０の収納部分を容器１２の内部に収納する。袋体２０を筒体２１４の先端に対応する部分で折り返し、口部を移動部２１８のケース２１８ａの側面部に引っ掛けるように引っ張り、カバー２４をケース２１８ａに嵌合して袋体を固定する。
【００５２】
次に、使用時には、回転部材２１８ｂ−１，２１８ｂ−２を回転させて、細長部材２１６の各々を接近する方向に移動させるとともに、板バネ２１６ｂの各々を内側へ向けて屈曲させて筒体２１４を構成する。そして、使用者が回転部材２１８ｂ−１，２１８ｂ−２を押さえたまま容器１２の部分を持って筒体２１４を肛門管５０に挿入する。
【００５３】
挿入後、使用者が回転部材２１８ｂ−１，２１８ｂ−２を離すと、バネ等の復元力により回転部材２１８ｂ−１、２１８ｂ−２が初期位置方向へ付勢される。回転部材２１８ｂ−１が初期位置へ戻ると、板バネ２１６ｂの各々が外側へ屈曲し、筒体２１４の先端の開口が開いた状態となり、便を袋体２０へ導く準備が完了する。そして、回転部材２１８ｂ−２が初期位置方向へ付勢されると、細長部材２１６には各々が離反する方向に力が作用した状態となる。しかし、使用者の肛門管が収縮した状態では、筒体２１４はバネ等の復元力では挿入時の径から大きく変化することがなく、使用者が排便を始め、肛門管が拡張されると、肛門管の拡張に追従して筒体２１４の径が肛門管の拡張に伴って変化する。そして、筒体２１４の径の変化は、肛門管の拡張・収縮に追従して行われる。これにより、第２の実施の形態においても第１の実施の形態と同様に、筒体２１４を被覆している袋体２０も拡張と収縮を繰り返し、筒体１４内の袋体部へ排泄された便は、袋体２０の収納部へ送り込まれる。そして、筒体２１４の径が肛門管の拡張・収縮に追従して変化しても、板バネ２１６ｂが直腸５２の入口５２ａに沿った状態は保持されるので、便が袋体２０へ導かれ、排便時の便漏れが防止される。
【００５４】
便が袋体２０の収納部分に収納され、排便が終了すると、回転部材２１８ｂ−１及び２１８ｂ−２を回転させて、細長部材２１６の各々を接近する方向に移動させながら、板バネ２１６ｂの各々を内側へ向けて屈曲させて、筒体２１４を肛門管５０から引き抜く。
【００５５】
後処理については、第１の実施の形態と同様である。
【００５６】
以上説明したように、第２の実施の形態の挿入型排便器によれば、肛門管に挿入する筒体が、先端に板バネを設け、接近及び離反可能に周状に配置された複数の細長部材で構成され、移動部により複数の細長部材の各々を接近及び離反する方向に移動させながら、板バネを各々が接近及び離反する方向へ屈曲させるため、使用者自らが容易な作業で使用することができ、自然な排便を行うことができる。
【００５７】
なお、第２の実施の形態では、８個の細長部材を１列に周状に配置する場合について説明したが、図１４に示すように、中央で屈曲された細長部材を径方向に沿って２列に配置するようにしてもよい。また、細長部材の個数も８個に限定されるものではない。
【００５８】
また、第２の実施の形態では、回転部材を押さえることにより回転させた位置で固定する場合について説明したが、係止手段を設けるなどして回転させた位置で固定するようにしてもよい。
【００５９】
また、第２の実施の形態では、板バネの移動をワイヤにより行い、細長部材の移動を押し棒により行う場合について説明したが、これに限定されず、細長部材の各々を接近及び離反する方向に移動させながら、板バネを接近及び離反する方向に移動させることができる構成であればよい。
【００６０】
また、第１及び第２の実施の形態では、カバーの上面が平面の場合について説明したが、図１５に示すように、筒体を肛門管に挿入した際に、臀部の形状に沿うような形状としてもよい。これにより、肛門管に対する挿入型排便器の向きや挿入具合を把握しやすくなり、使用者自らがより容易な作業で使用することができる。
【００６１】
また、第１及び第２の実施の形態において、細長部材の先端が最も接近したときの先端部分の直径を約１２ｍｍ、最も離反したときの先端部分の直径を約３０ｍｍとすることができる。
【００６２】
また、容器と移動部とを連結した状態または連結する際に、容器内の空気を排出して、容器の内部を陰圧にすることも望ましい。このための構成の一例として、容器の適宜な場所へ簡易なバルブ機構を付加し、容器内の空気を真空ポンプ等で排出し、バルブ機構で陰圧を保持するようなものを採用することができる。これにより、無重力状態の宇宙で使用する場合や、便を排出する力が弱い人が使用する場合などに、直腸内の便をスムーズに排出させて袋体に収納することができる。
【符号の説明】
【００６３】
１０、２１０  挿入型排便器
１２   容器
１４、２１４  筒体
１６   細長部材
１６ａ 細長部材の先端
１６ｂ 細長部材の基端
１６ｃ 細長部材の屈曲部
１８   移動部
１８ｂ 移動部の摺動部材
１８ｃ 移動部の圧縮バネ
２０   袋体
２２   絞り部
２２ａ 絞り部の支持板
２２ｂ 絞り部の絞り羽根
５０   肛門管
５２ａ 直腸の入口
２１６ 細長部材
２１６ｂ  細長部材の板バネ
２１８  移動部
２１８ｂ−１，２１８ｂ−２  移動部の回転部材
２１８ｃ  移動部のワイヤ
２１８ｄ  移動部の押し棒
【図１】
2011055956.tif 000003
【図２】
2011055956.tif 000004
【図３】
2011055956.tif 000005
【図４】
2011055956.tif 000006
【図５】
2011055956.tif 000007
【図６】
2011055956.tif 000008
【図７】
2011055956.tif 000009
【図８】
2011055956.tif 000010
【図９】
2011055956.tif 000011
【図１０】
2011055956.tif 000012
【図１１】
2011055956.tif 000013
【図１２】
2011055956.tif 000014
【図１３】
2011055956.tif 000015
【図１４】
2011055956.tif 000016
【図１５】
2011055956.tif 000017